(57)【要約】【課題】ＰＳＴＮに比べ安価なＩＰ網を利用するにあたり、ゲートウェイの能力に依存せず、相手先に応じたＦＡＸプロトコルでファクシミリ通信が可能なファクシミリ装置およびファクシミリ通信方法を提供する。【解決手段】マルチファンクション装置は、ＩＰ網経由のファクシミリ通信を行う際に、ファクシミリモジュール部のＣＰＵが機能として有する相手先通信能力判断手段により相手先の通信能力を判断し、相手先通信能力判断手段の判断に基づいてファクシミリモジュール部のＣＰＵが機能として有するファクシミリ通信選択手段によりファクシミリ通信を自動的に選択する。【選択図】図１
2006094024.tif 000002
【特許請求の範囲】
【請求項１】
ＩＰ網と接続するＩＰ網接続手段と、
前記ＩＰ網を経由してデータを通信する第１のファクシミリ通信手段と、
前記データをアナログ信号に変換するアナログ信号変換手段と、
前記アナログ信号変換手段でアナログ信号に変換したデータをディジタル信号に変換するディジタル信号変換手段と、
前記ディジタル信号変換手段でディジタル信号に変換したデータを前記ＩＰ網を経由して通信する第２のファクシミリ通信手段と、
相手先の通信能力を判断する相手先通信能力判断手段と、
前記相手先通信能力判断手段の判断に基づき、前記第１のファクシミリ通信手段による通信または前記第２のファクシミリ通信手段による通信を選択するファクシミリ通信選択手段と
を具備することを特徴とするファクシミリ装置。
【請求項２】
起動する際に、前記アナログ信号変換手段および前記ＩＰ網接続手段の取り付け状況を確認し、
前記ＩＰ網との接続を確認する
ことを特徴とする請求項１記載のファクシミリ装置。
【請求項３】
公衆交換電話網と接続する公衆交換電話網接続手段
を更に具備し、
起動する際に、前記公衆交換電話網接続手段の取り付け状況を確認し、
前記公衆交換電話網との接続を確認する
ことを特徴とする請求項２記載のファクシミリ装置。
【請求項４】
前記アナログ信号変換手段および前記ＩＰ網接続手段の取り付け手段として、該アナログ信号変換手段および該ＩＰ網接続手段のいずれか、若しくは双方に同一の接続構造
を具備し、
前記接続構造により、前記アナログ信号変換手段および前記ＩＰ網接続手段を選択的に若しくは複数を連結して接続する
ことを特徴とする請求項１記載のファクシミリ装置。
【請求項５】
前記第１のファクシミリ通信手段による通信、および前記第２のファクシミリ通信手段による通信の同時通信を実施する
ことを特徴とする請求項１記載のファクシミリ装置。
【請求項６】
前記第１のファクシミリ通信手段による通信を実施している際に、前記第２のファクシミリ通信手段による通信を規制する
ことを特徴とする請求項５記載のファクシミリ装置。
【請求項７】
前記同時通信を有効若しくは無効に設定する設定手段
を更に具備することを特徴とする請求項５記載のファクシミリ装置。
【請求項８】
前記同時通信は、
前記第１のファクシミリ通信手段による複数の通信の実施である
ことを特徴とする請求項５記載のファクシミリ装置。
【請求項９】
前記同時通信は、
前記第２のファクシミリ通信手段による複数の通信の実施である
ことを特徴とする請求項５記載のファクシミリ装置。
【請求項１０】
公衆交換電話網と接続する公衆交換電話網接続手段と、
前記アナログ信号変換手段でアナログ信号に変換したデータを前記公衆交換電話網を経由して通信する第３のファクシミリ通信手段と
を更に具備し、
前記同時通信は、
前記第１のファクシミリ通信手段による通信と、前記第３のファクシミリ通信手段による通信との実施である
ことを特徴とする請求項５記載のファクシミリ装置。
【請求項１１】
複数のアナログ信号変換手段を具備する場合、前記第２のファクシミリ通信手段による通信および前記第３のファクシミリ通信手段による通信のうち少なくとも２つの同時通信を実施する
ことを特徴とする請求項１０記載のファクシミリ装置。
【請求項１２】
複数の公衆交換電話網接続手段を具備する場合、前記第３のファクシミリ通信手段による複数の通信の同時通信を実施する
ことを特徴とする請求項１０記載のファクシミリ装置。
【請求項１３】
前記ファクシミリ通信の使用回線が前記公衆交換電話網であるか前記ＩＰ網であるか判断する使用回線判断手段
を更に具備し、
前記使用回線判断手段の判断に基づき、前記第１のファクシミリ通信手段による通信、前記第２のファクシミリ通信手段による通信、前記第３のファクシミリ通信手段による通信を選択する
ことを特徴とする請求項１０記載のファクシミリ装置。
【請求項１４】
前記使用回線判断手段は、
相手先番号または前記相手先の情報に基づいて使用回線を判断する
ことを特徴とする請求項１３記載のファクシミリ装置。
【請求項１５】
前記ファクシミリ通信の使用回線が前記公衆交換電話網であるか前記ＩＰ網であるか判断する使用回線判断手段
を更に具備し、
前記使用回線判断手段の判断に基づき、前記第２のファクシミリ通信手段による通信、前記第３のファクシミリ通信手段による通信を選択する
ことを特徴とする請求項１０記載のファクシミリ装置。
【請求項１６】
前記使用回線判断手段は、
相手先番号または前記相手先の情報に基づいて使用回線を判断する
ことを特徴とする請求項１５記載のファクシミリ装置。
【請求項１７】
通信が正常に終了しない場合は予め設定した条件に基づき、前記第１のファクシミリ通信手段による通信、前記第２のファクシミリ通信手段による通信、前記第３のファクシミリ通信手段による通信を切り替える
ことを特徴とする請求項１０記載のファクシミリ装置。
【請求項１８】
前記条件は、
リトライ回数設定、選択回線限定設定、優先順位設定のいずれか、若しくはそれらの組み合わせである
ことを特徴とする請求項１７記載のファクシミリ装置。
【請求項１９】
ＩＰ網とＩＰ網接続手段により接続し、
前記ＩＰ網を経由してデータを通信する第１のファクシミリ通信を実施し、
前記データをアナログ信号変換手段によりアナログ信号に変換し、
前記アナログ信号に変換したデータをディジタル信号変換手段によりディジタル信号に変換し、該変換したデータを前記ＩＰ網を経由して通信する第２のファクシミリ通信を実施し、
相手先の通信能力を相手先通信能力判断手段により判断し、
前記判断に基づき、前記第１のファクシミリ通信または前記第２のファクシミリ通信をファクシミリ通信選択手段により選択する
ことを特徴とするファクシミリ装置のファクシミリ通信方法。
【請求項２０】
起動する際に、前記アナログ信号変換手段および前記ＩＰ網接続手段の取り付け状況を確認し、
前記ＩＰ網との接続を確認する
ことを特徴とする請求項１９記載のファクシミリ装置のファクシミリ通信方法。
【請求項２１】
公衆交換電話網と公衆交換電話網接続手段により接続し、
起動する際に、前記公衆交換電話網接続手段の取り付け状況を確認し、
前記公衆交換電話網との接続を確認する
ことを特徴とする請求項２０記載のファクシミリ装置のファクシミリ通信方法。
【請求項２２】
前記アナログ信号変換手段および前記ＩＰ網接続手段の取り付け手段として、該アナログ信号変換手段および該ＩＰ網接続手段のいずれか、若しくは双方に同一の接続構造を有し、
前記接続構造により、前記アナログ信号変換手段および前記ＩＰ網接続手段を選択的に若しくは複数を連結して接続する
ことを特徴とする請求項１９記載のファクシミリ装置のファクシミリ通信方法。
【請求項２３】
前記第１のファクシミリ通信および前記第２のファクシミリ通信の同時通信を実施する
ことを特徴とする請求項１９記載のファクシミリ装置のファクシミリ通信方法。
【請求項２４】
前記第１のファクシミリ通信を実施している際に、前記第２のファクシミリ通信を規制する
ことを特徴とする請求項２３記載のファクシミリ装置のファクシミリ通信方法。
【請求項２５】
前記同時通信を設定手段により有効若しくは無効に設定する
ことを特徴とする請求項２３記載のファクシミリ装置のファクシミリ通信方法。
【請求項２６】
前記同時通信は、
複数の第１のファクシミリ通信の実施である
ことを特徴とする請求項２３記載のファクシミリ装置のファクシミリ通信方法。
【請求項２７】
前記同時通信は、
複数の第２のファクシミリ通信の実施である
ことを特徴とする請求項２３記載のファクシミリ装置のファクシミリ通信方法。
【請求項２８】
公衆交換電話網と公衆交換電話網接続手段により接続し、
前記アナログ信号変換手段でアナログ信号に変換したデータを前記公衆交換電話網を経由して通信する第３のファクシミリ通信を実施し、
前記同時通信は、
前記第１のファクシミリ通信と、前記第３のファクシミリ通信との実施である
ことを特徴とする請求項２３記載のファクシミリ装置のファクシミリ通信方法。
【請求項２９】
複数のアナログ信号変換手段を具備する場合、前記第２のファクシミリ通信および前記第３のファクシミリ通信のうち少なくとも２つの同時通信を実施する
ことを特徴とする請求項２８記載のファクシミリ装置のファクシミリ通信方法。
【請求項３０】
複数の公衆交換電話網接続手段を具備する場合、複数の第３のファクシミリ通信の同時通信を実施する
ことを特徴とする請求項２８記載のファクシミリ装置のファクシミリ通信方法。
【請求項３１】
前記ファクシミリ通信の使用回線が前記公衆交換電話網であるか前記ＩＰ網であるか使用回線判断手段により判断し、
前記判断に基づき、前記第１のファクシミリ通信、前記第２のファクシミリ通信、前記第３のファクシミリ通信を選択する
ことを特徴とする請求項２８記載のファクシミリ装置のファクシミリ通信方法。
【請求項３２】
前記使用回線判断手段は、
相手先番号または前記相手先の情報に基づいて使用回線を判断する
ことを特徴とする請求項３１記載のファクシミリ装置のファクシミリ通信方法。
【請求項３３】
前記ファクシミリ通信の使用回線が前記公衆交換電話網であるか前記ＩＰ網であるか使用回線判断手段により判断し、
前記判断に基づき、前記第２のファクシミリ通信、前記第３のファクシミリ通信を選択する
ことを特徴とする請求項２８記載のファクシミリ装置のファクシミリ通信方法。
【請求項３４】
前記使用回線判断手段は、
相手先番号または前記相手先の情報に基づいて使用回線を判断する
ことを特徴とする請求項３３記載のファクシミリ装置のファクシミリ通信方法。
【請求項３５】
通信が正常に終了しない場合は予め設定した条件に基づき、前記第１のファクシミリ通信、前記第２のファクシミリ通信、前記第３のファクシミリ通信を切り替える
ことを特徴とする請求項２８記載のファクシミリ装置のファクシミリ通信方法。
【請求項３６】
前記条件は、
リトライ回数設定、選択回線限定設定、優先順位設定のいずれか、若しくはそれらの組み合わせである
ことを特徴とする請求項３５記載のファクシミリ装置のファクシミリ通信方法。
【発明の詳細な説明】
【技術分野】
【０００１】
本発明は、ファクシミリ装置およびファクシミリ通信方法に関し、特に、ＩＰ網を使用した通信を行うファクシミリ通信とを行うファクシミリ装置およびファクシミリ通信方法に関する。
【背景技術】
【０００２】
従来、ファクシミリ通信はＰＳＴＮ（公衆交換電話網：例えば、アナログ網またはＩＳＤＮ）で行ってきたが、最近では、端末と交換局間は従来のＰＳＴＮを使用し、交換局からゲートウェイを通じてＩＰディジタル網（以後、ＩＰ網と称する）を使用するＩＰ電話が普及していることから、ＩＰディジタル網を介してファクシミリ通信を行うファクシミリ装置が登場している。
【０００３】
現状は、ＩＰ網を使用したファクシミリ通信といっても、アナログＧ３信号をディジタル変換した見なしファクシミリ（ＩＴＵ−Ｔ勧告Ｔ．３０）が主流である。しかし、今後ＩＴＵ−Ｔ勧告Ｔ．３８といったＩＰ網専用のＦＡＸプロトコルが標準として制定されたＴ．３８対応ファクシミリ装置が増加すると考えられている。従って、ＩＰ電話対応ファクシミリ装置でもＴ．３０対応ファクシミリ装置とＴ．３８対応ファクシミリ装置とが混在するため、これら２つのＦＡＸプロトコルを相手先に応じて使い分ける必要がある。
【０００４】
例えば、公衆網ファクシミリ規格に適合するように、ファクシミリパケットの送信制御を行なうようにしたファクシミリ装置、ファクシミリ通信方法及びファクシミリ通信プログラムがある（例えば、特許文献１参照。）。
【特許文献１】特開２００３−１２５１５２号公報
【発明の開示】
【発明が解決しようとする課題】
【０００５】
しかし、上記特許文献１に記載の技術では、ＰＳＴＮからのデータとＩＰネットワークからのデータを相互に変換する機能付きのゲートウェイを経由せずに、データを直接送受信することは困難である。
【０００６】
そこで、本発明は、ＰＳＴＮに比べ安価なＩＰ網を利用するにあたり、ゲートウェイの能力に依存せず、相手先に応じたＦＡＸプロトコルでファクシミリ通信が可能なファクシミリ装置およびファクシミリ通信方法を提供することを目的とする。
【課題を解決するための手段】
【０００７】
上記目的を達成するため、請求項１の発明は、ＩＰ網と接続するＩＰ網接続手段と、前記ＩＰ網を経由してデータを通信する第１のファクシミリ通信手段と、前記データをアナログ信号に変換するアナログ信号変換手段と、前記アナログ信号変換手段でアナログ信号に変換したデータをディジタル信号に変換するディジタル信号変換手段と、前記ディジタル信号変換手段でディジタル信号に変換したデータを前記ＩＰ網を経由して通信する第２のファクシミリ通信手段と、相手先の通信能力を判断する相手先通信能力判断手段と、前記相手先通信能力判断手段の判断に基づき、前記第１のファクシミリ通信手段による通信または前記第２のファクシミリ通信手段による通信を選択するファクシミリ通信選択手段とを具備することを特徴とする。
【０００８】
また、請求項２の発明は、請求項１の発明において、起動する際に、前記アナログ信号変換手段および前記ＩＰ網接続手段の取り付け状況を確認し、前記ＩＰ網との接続を確認することを特徴とする。
【０００９】
また、請求項３の発明は、請求項２の発明において、公衆交換電話網と接続する公衆交換電話網接続手段を更に具備し、起動する際に、前記公衆交換電話網接続手段の取り付け状況を確認し、前記公衆交換電話網との接続を確認することを特徴とする。
【００１０】
また、請求項４の発明は、請求項１の発明において、前記アナログ信号変換手段および前記ＩＰ網接続手段の取り付け手段として、該アナログ信号変換手段および該ＩＰ網接続手段のいずれか、若しくは双方に同一の接続構造を具備し、前記接続構造により、前記アナログ信号変換手段および前記ＩＰ網接続手段を選択的に若しくは複数を連結して接続することを特徴とする。
【００１１】
また、請求項５の発明は、請求項１の発明において、前記第１のファクシミリ通信手段による通信、および前記第２のファクシミリ通信手段による通信の同時通信を実施することを特徴とする。
【００１２】
また、請求項６の発明は、請求項５の発明において、前記第１のファクシミリ通信手段による通信を実施している際に、前記第２のファクシミリ通信手段による通信を規制することを特徴とする。
【００１３】
また、請求項７の発明は、請求項５の発明において、前記同時通信を有効若しくは無効に設定する設定手段を更に具備することを特徴とする。
【００１４】
また、請求項８の発明は、請求項５の発明において、前記同時通信は、前記第１のファクシミリ通信手段による複数の通信の実施であることを特徴とする。
【００１５】
また、請求項９の発明は、請求項５の発明において、前記同時通信は、前記第２のファクシミリ通信手段による複数の通信の実施であることを特徴とする。
【００１６】
また、請求項１０の発明は、請求項５の発明において、公衆交換電話網と接続する公衆交換電話網接続手段と、前記アナログ信号変換手段でアナログ信号に変換したデータを前記公衆交換電話網を経由して通信する第３のファクシミリ通信手段とを更に具備し、前記同時通信は、前記第１のファクシミリ通信手段による通信と、前記第３のファクシミリ通信手段による通信との実施であることを特徴とする。
【００１７】
また、請求項１１の発明は、請求項１０の発明において、複数のアナログ信号変換手段を具備する場合、前記第２のファクシミリ通信手段による通信および前記第３のファクシミリ通信手段による通信のうち少なくとも２つの同時通信を実施することを特徴とする。
【００１８】
また、請求項１２の発明は、請求項１０の発明において、複数の公衆交換電話網接続手段を具備する場合、前記第３のファクシミリ通信手段による複数の通信の同時通信を実施することを特徴とする。
【００１９】
また、請求項１３の発明は、請求項１０の発明において、前記ファクシミリ通信の使用回線が前記公衆交換電話網であるか前記ＩＰ網であるか判断する使用回線判断手段を更に具備し、前記使用回線判断手段の判断に基づき、前記第１のファクシミリ通信手段による通信、前記第２のファクシミリ通信手段による通信、前記第３のファクシミリ通信手段による通信を選択することを特徴とする。
【００２０】
また、請求項１４の発明は、請求項１３の発明において、前記使用回線判断手段は、相手先番号または前記相手先の情報に基づいて使用回線を判断することを特徴とする。
【００２１】
また、請求項１５の発明は、請求項１０の発明において、前記ファクシミリ通信の使用回線が前記公衆交換電話網であるか前記ＩＰ網であるか判断する使用回線判断手段を更に具備し、前記使用回線判断手段の判断に基づき、前記第２のファクシミリ通信手段による通信、前記第３のファクシミリ通信手段による通信を選択することを特徴とする。
【００２２】
また、請求項１６の発明は、請求項１５の発明において、前記使用回線判断手段は、相手先番号または前記相手先の情報に基づいて使用回線を判断することを特徴とする。
【００２３】
また、請求項１７の発明は、請求項１０の発明において、通信が正常に終了しない場合は予め設定した条件に基づき、前記第１のファクシミリ通信手段による通信、前記第２のファクシミリ通信手段による通信、前記第３のファクシミリ通信手段による通信を切り替えることを特徴とする。
【００２４】
また、請求項１８の発明は、請求項１７の発明において、前記条件は、リトライ回数設定、選択回線限定設定、優先順位設定のいずれか、若しくはそれらの組み合わせであることを特徴とする。
【００２５】
また、請求項１９の発明は、ＩＰ網とＩＰ網接続手段により接続し、前記ＩＰ網を経由してデータを通信する第１のファクシミリ通信を実施し、前記データをアナログ信号変換手段によりアナログ信号に変換し、前記アナログ信号に変換したデータをディジタル信号変換手段によりディジタル信号に変換し、該変換したデータを前記ＩＰ網を経由して通信する第２のファクシミリ通信を実施し、相手先の通信能力を相手先通信能力判断手段により判断し、前記判断に基づき、前記第１のファクシミリ通信または前記第２のファクシミリ通信をファクシミリ通信選択手段により選択することを特徴とする。
【００２６】
また、請求項２０の発明は、請求項１９の発明において、起動する際に、前記アナログ信号変換手段および前記ＩＰ網接続手段の取り付け状況を確認し、前記ＩＰ網との接続を確認することを特徴とする。
【００２７】
また、請求項２１の発明は、請求項２０の発明において、公衆交換電話網と公衆交換電話網接続手段により接続し、起動する際に、前記公衆交換電話網接続手段の取り付け状況を確認し、前記公衆交換電話網との接続を確認することを特徴とする。
【００２８】
また、請求項２２の発明は、請求項１９の発明において、前記アナログ信号変換手段および前記ＩＰ網接続手段の取り付け手段として、該アナログ信号変換手段および該ＩＰ網接続手段のいずれか、若しくは双方に同一の接続構造を有し、前記接続構造により、前記アナログ信号変換手段および前記ＩＰ網接続手段を選択的に若しくは複数を連結して接続することを特徴とする。
【００２９】
また、請求項２３の発明は、請求項１９の発明において、前記第１のファクシミリ通信および前記第２のファクシミリ通信の同時通信を実施することを特徴とする。
【００３０】
また、請求項２４の発明は、請求項２３の発明において、前記第１のファクシミリ通信を実施している際に、前記第２のファクシミリ通信を規制することを特徴とする。
【００３１】
また、請求項２５の発明は、請求項２３の発明において、前記同時通信を設定手段により有効若しくは無効に設定することを特徴とする。
【００３２】
また、請求項２６の発明は、請求項２３の発明において、前記同時通信は、複数の第１のファクシミリ通信の実施であることを特徴とする。
【００３３】
また、請求項２７の発明は、請求項２３の発明において、前記同時通信は、複数の第２のファクシミリ通信の実施であることを特徴とする。
【００３４】
また、請求項２８の発明は、請求項２３の発明において、公衆交換電話網と公衆交換電話網接続手段により接続し、前記アナログ信号変換手段でアナログ信号に変換したデータを前記公衆交換電話網を経由して通信する第３のファクシミリ通信を実施し、前記同時通信は、前記第１のファクシミリ通信と、前記第３のファクシミリ通信との実施であることを特徴とする。
【００３５】
また、請求項２９の発明は、請求項２８の発明において、複数のアナログ信号変換手段を具備する場合、前記第２のファクシミリ通信および前記第３のファクシミリ通信のうち少なくとも２つの同時通信を実施することを特徴とする。
【００３６】
また、請求項３０の発明は、請求項２８の発明において、複数の公衆交換電話網接続手段を具備する場合、複数の第３のファクシミリ通信の同時通信を実施することを特徴とする。
【００３７】
また、請求項３１の発明は、請求項２８の発明において、前記ファクシミリ通信の使用回線が前記公衆交換電話網であるか前記ＩＰ網であるか使用回線判断手段により判断し、前記判断に基づき、前記第１のファクシミリ通信、前記第２のファクシミリ通信、前記第３のファクシミリ通信を選択することを特徴とする。
【００３８】
また、請求項３２の発明は、請求項３１の発明において、前記使用回線判断手段は、相手先番号または前記相手先の情報に基づいて使用回線を判断することを特徴とする。
【００３９】
また、請求項３３の発明は、請求項２８の発明において、前記ファクシミリ通信の使用回線が前記公衆交換電話網であるか前記ＩＰ網であるか使用回線判断手段により判断し、前記判断に基づき、前記第２のファクシミリ通信、前記第３のファクシミリ通信を選択することを特徴とする。
【００４０】
また、請求項３４の発明は、請求項３３の発明において、前記使用回線判断手段は、相手先番号または前記相手先の情報に基づいて使用回線を判断することを特徴とする。
【００４１】
また、請求項３５の発明は、請求項２８の発明において、通信が正常に終了しない場合は予め設定した条件に基づき、前記第１のファクシミリ通信、前記第２のファクシミリ通信、前記第３のファクシミリ通信を切り替えることを特徴とする。
【００４２】
また、請求項３６の発明は、請求項３５の発明において、前記条件は、リトライ回数設定、選択回線限定設定、優先順位設定のいずれか、若しくはそれらの組み合わせであることを特徴とする。
【発明の効果】
【００４３】
本発明によれば、ＰＳＴＮに比べ安価なＩＰ網を利用するにあたり、ゲートウェイまたはＶｏＩＰアダプタ等の能力に依存せず、最適な通信を行うことが可能になるとともに、アナログ回線・ＩＰ網どちらにも対応が可能になるという効果を奏する。
【発明を実施するための最良の形態】
【００４４】
以下、本発明に係るファクシミリ装置およびファクシミリ通信方法の一実施の形態について、添付図面を参照して詳細に説明する。
【００４５】
図１は、本発明を適用した複合機装置（以後、マルチファンクション装置と称する）１の構成例を示した図である。
【００４６】
図１に示すように、マルチファンクション装置１はマルチファンクションコントロール部２とプリンタモジュール部３とスキャナモジュール部４とファクシミリモジュール部５とを具備して構成され、プリンタモジュール部３、スキャナモジュール部４およびファクシミリモジュール部５は、インターフェース（以後、Ｉ／Ｆと称する）６によってマルチファンクションコントロール部２と接続されている。
【００４７】
マルチファンクションコントロール部２は、プリンタモジュール部３・プリンタモジュール部４・ファクシミリモジュール部５の各モジュール部を効率良く制御する。具体的には、制御用のＣＰＵ７と、ＣＰＵ７の動作プログラムを記憶するＲＯＭ８／ＲＡＭ９と、入出力用データを格納するデータ蓄積用メモリ１０と、ＩＰ網に接続するためのＬＡＮインターフェースであるＬＡＮ  ＩＦ基板１１と、ユーザからの各モジュール部に対する設定（例えば、ファクシミリ通信の種類、同時ファクシミリ通信の有効／無効等）等を受け付ける設定部１２と、を具備して構成され、これらはシステムバス１３によって相互に接続している。
【００４８】
プリンタモジュール部３は、マルチファンクションコントロール部２のデータ蓄積用メモリ１０に蓄積されたデータを用紙に印刷する。
【００４９】
スキャナモジュール部４は、原稿を光学的に読み取り、読み取ったデータはマルチファンクションコントロール部２のデータ蓄積用メモリ１０に蓄積する。
【００５０】
ファクシミリモジュール部５は、ファクシミリモジュール部５を制御するＣＰＵ１４と、ＣＰＵ１４の動作プログラムを記憶するＲＯＭ１５／ＲＡＭ１６と、ＰＳＴＮ経由のデータの送受信を行う網制御部１７と、ＰＳＴＮ経由で受信したデータの復号化、スキャナモジュール部４で読み取ったデータの符号化、およびデータの解像度変換を行うＣｏｄｅｃ／解像度変換部１８と、Ｃｏｄｅｃ／解像度変換部１８で符号化したデータをＰＳＴＮを介してファクシミリ送信するＦＡＸ  Ｍｏｄｅｍ１９と、ＦＡＸ  Ｍｏｄｅｍ１９の出力信号（音声信号）のディジタル化を行うＰＣＭ  Ｃｏｄｅｃ２０とを具備して構成され、これらはシステムバス２１によって相互に接続している。
【００５１】
マルチファンクション装置１は、ＩＰ網経由のファクシミリ通信を行う際に、ファクシミリモジュール部５のＣＰＵ１４が機能として有する相手先通信能力判断手段により相手先の通信能力を判断し、相手先通信能力判断手段の判断に基づいてファクシミリモジュール部５のＣＰＵ１４が機能として有するファクシミリ通信選択手段によりファクシミリ通信を自動的に選択する。具体的には、マルチファンクション装置１からＴ．３８通信を行う際に、相手先から受信する能力宣言を確認し、相手先がＴ．３８通信の能力を有していると判断した場合はＴ．３８通信を行い、相手先がＴ．３０通信の能力しか有していないと判断した場合はＴ．３０通信を行う。
【００５２】
次に、マルチファンクション装置１が行うＩＰ網経由のファクシミリ送信の処理手順について図２に示すフローチャートを参照して説明する。
【００５３】
原稿をスキャンし（ステップＳ２０１）、スキャンデータからＴ．３８通信用のデータを作成し（ステップＳ２０２）、作成したデータをデータ蓄積用メモリに蓄積し（ステップＳ２０３）、相手先に接続し（ステップＳ２０４）、相手先から応答があると（ステップＳ２０５でＹＥＳ）、相手先から送信された相手能力宣言を受信し（ステップＳ２０６）、受信した相手能力宣言に基づいて相手先のＴ．３８通信能力の有無を判断する（ステップＳ２０７）。
【００５４】
相手先にＴ．３８通信能力が有ると判断した場合（ステップＳ２０７でＹＥＳ）、Ｔ．３８通信を開始し（ステップＳ２０８）、ファクシミリ送信の処理手順を終了する。
【００５５】
相手先にＴ．３８通信能力が無いと判断した場合（ステップＳ２０７でＮＯ）、スキャンデータをＦＡＸ  Ｍｏｄｅｍに渡し（ステップＳ２０９）、ＦＡＸ  Ｍｏｄｅｍの出力信号をディジタル化し（ステップＳ２１０）、ＩＰ網経由のＴ．３０通信を開始し（ステップＳ２１１）、ファクシミリ送信の処理手順を終了する。
【００５６】
更に、ＬＡＮ  ＩＦ基板１１若しくは網制御部１７を取り外し可能な子基板で製作し、オプション化する場合、これらの基板のどちらか若しくは両方取り付けられた時に取り付けられたインターフェースに応じてＩＰ網若しくはＰＳＴＮの接続が可能である。
【００５７】
次に、起動開始時にマルチファンクション装置１が行う接続認識の処理手順について図３に示すフローチャートを参照して説明する。
【００５８】
起動を開始し（ステップＳ３０１）、基板取付確認を開始する（ステップＳ３０２）。
【００５９】
網制御部が取り付けられていることを確認した場合（ステップＳ３０３でＹＥＳ）、ＰＳＴＮ接続を認識し（ステップＳ３０４）、ステップＳ３０５に進む。なお、網制御部が取り付けられていないことを確認した場合（ステップＳ３０３でＮＯ）、ステップＳ３０５に進む。
【００６０】
ＬＡＮ  ＩＦ基板が取り付けられていることを確認した場合（ステップＳ３０５でＹＥＳ）、ＩＰ網接続を認識し（ステップＳ３０６）、ステップＳ３０７に進む。なお、ＬＡＮ  ＩＦ基板が取り付けられていないことを確認した場合（ステップＳ３０５でＮＯ）、ステップＳ３０７に進む。
【００６１】
ファクシミリ通信可能なインターフェースの設定を完了し（ステップＳ３０７）、起動を完了し（ステップＳ３０８）、接続認識の処理手順を終了する。
【００６２】
更に、本発明を適用したマルチファンクション装置１は同時に複数のファクシミリ通信を行うことが可能である。
【００６３】
例えば、スキャンデータをパケットデータとして直接ＩＰ網経由でファクシミリ通信を行うＴ．３８通信中に、Ｔ．３８通信では未使用のＦＡＸ  Ｍｏｄｅｍ１９を使用してＰＳＴＮ経由のファクシミリ通信（以後、ＰＳＴＮ経由のＴ．３０通信と称する）若しくはＩＰ網経由のファクシミリ通信（以後、ＩＰ網経由のＴ．３０通信と称する）を行うことが可能であり、ＰＳＴＮ経由のＴ．３０通信中若しくはＩＰ網経由のＴ．３０通信中にＴ．３８通信を行うことが可能である。
【００６４】
なお、ＩＰ網での遅延・ジッタ等の影響を避けるため、Ｔ．３８通信中にＩＰ網経由のＴ．３０通信を同時に行うこと、およびＩＰ網経由のＴ．３０通信中にＴ．３８通信を同時に行うことを規制する構成も適用可能である。
【００６５】
また、同時通信でメモリまたは画像処理が遅くなる場合は、同報等同一画情報をファクシミリ送信するように限定する構成も適用可能である。
【００６６】
次に、マルチファンクション装置１が行う複数のファクシミリ通信の処理手順について図４に示すフローチャートを参照して説明する。
【００６７】
ファクシミリ通信中にＴ．３８通信のファクシミリ送信若しくはファクシミリ受信の指示を受け付けると（ステップＳ４０１）、現在のファクシミリ通信の種類を確認する（ステップＳ４０２）。
【００６８】
現在、Ｔ．３８通信中である場合（ステップＳ４０３でＹＥＳ）、Ｔ．３８通信が終了するまで待機し（ステップＳ４０４）、Ｔ．３８通信が終了すると（ステップＳ４０５でＹＥＳ）、ステップＳ４０９に進む。
【００６９】
現在、Ｔ．３８通信中ではなく（ステップＳ４０３でＮＯ）、ＩＰ網経由のＴ．３０通信中である場合（ステップＳ４０６でＹＥＳ）、ＩＰ網経由のＴ．３０通信が終了するまで待機し（ステップＳ４０７）、ＩＰ網経由のＴ．３０通信が終了すると（ステップＳ４０８でＹＥＳ）、ステップＳ４０９に進む。
【００７０】
現在、Ｔ．３８通信中ではなく（ステップＳ４０３でＮＯ）、ＩＰ網経由のＴ．３０通信中ではない場合（ステップＳ４０６でＮＯ）、ステップＳ４０９に進む。
【００７１】
Ｔ．３８通信を開始し（ステップＳ４０９）、同時ファクシミリ通信の処理手順を終了する。
【００７２】
更に、本発明を適用したマルチファンクション装置１は、Ｔ．３８通信とＰＳＴＮ経由のＴ．３０通信とを同時に行うことが可能である。なお、通信スピード、処理能力等に応じて同時動作可能な通信数を制限する構成も適用可能である。
【００７３】
次に、マルチファンクション装置１が行うＰＳＴＮ経由のＴ．３０通信の処理手順について図５に示すフローチャートを参照して説明する。
【００７４】
ＰＳＴＮ経由のＴ．３０通信のファクシミリ送信若しくはファクシミリ受信の指示を受け付けると（ステップＳ５０１）、現在ファクシミリ通信中であるか否か確認する（ステップＳ５０２）。
【００７５】
現在ファクシミリ通信中ではないことを確認した場合（ステップＳ５０２でＮＯ）、ステップＳ５０６に進む。
【００７６】
現在ファクシミリ通信中であることを確認した場合（ステップＳ５０２でＹＥＳ）、そのファクシミリ通信がＴ．３８通信であるか否か確認する（ステップＳ５０３）。
【００７７】
ファクシミリ通信がＴ．３８通信であると確認した場合（ステップＳ５０３でＹＥＳ）、ステップＳ５０６に進む。
【００７８】
ファクシミリ通信がＴ．３８通信ではないと確認した場合（ステップＳ５０３でＮＯ）、ファクシミリ通信が終了するまで待機し（ステップＳ５０４）、ファクシミリ通信が終了すると（ステップＳ５０５でＹＥＳ）、ステップＳ５０６に進む。
【００７９】
ＰＳＴＮ経由のＴ．３０通信を開始し（ステップＳ５０６）、ＰＳＴＮ経由のＴ．３０通信の処理手順を終了する。
【００８０】
次に、マルチファンクション装置１が行うＴ．３８通信の処理手順について図６に示すフローチャートを参照して説明する。
【００８１】
Ｔ．３８通信のファクシミリ送信若しくはファクシミリ受信の指示を受け付けると（ステップＳ６０１）、現在ファクシミリ通信中であるか否か確認する（ステップＳ６０２）。
【００８２】
現在ファクシミリ通信中ではないことを確認した場合（ステップＳ６０２でＮＯ）、ステップＳ６０６に進む。
【００８３】
現在ファクシミリ通信中であることを確認した場合（ステップＳ６０２でＹＥＳ）、そのファクシミリ通信がＰＳＴＮ経由のＴ．３０通信であるか否か確認する（ステップＳ６０３）。
【００８４】
ファクシミリ通信がＰＳＴＮ経由のＴ．３０通信であると確認した場合（ステップＳ６０３でＹＥＳ）、ステップＳ６０６に進む。
【００８５】
ファクシミリ通信がＰＳＴＮ経由のＴ．３０通信ではないと確認した場合（ステップＳ６０３でＮＯ）、ファクシミリ通信が終了するまで待機し（ステップＳ６０４）、ファクシミリ通信が終了すると（ステップＳ６０５でＹＥＳ）、ステップＳ６０６に進む。
【００８６】
Ｔ．３８通信を開始し（ステップＳ６０６）、Ｔ．３８通信の処理手順を終了する。
【００８７】
更に、本発明を適用したマルチファンクション装置１は、複数のＩＰ網経由のＴ．３０通信を同時に行うことが可能である。なお、通信スピード、処理能力等に応じて同時動作可能な通信数を制限する構成も適用可能である。
【００８８】
次に、マルチファンクション装置１が行う複数のＩＰ網経由のＴ．３０通信の同時通信の処理手順について図７に示すフローチャートを参照して説明する。
【００８９】
ＩＰ網経由のＴ．３０通信のファクシミリ送信若しくはファクシミリ受信の指示を受け付けると（ステップＳ７０１）、現在ファクシミリ通信中であるか否か確認する（ステップＳ７０２）。
【００９０】
現在ファクシミリ通信中ではないことを確認した場合（ステップＳ７０２でＮＯ）、ステップＳ７０６に進む。
【００９１】
現在ファクシミリ通信中であることを確認した場合（ステップＳ７０２でＹＥＳ）、そのファクシミリ通信がＩＰ網経由のＴ．３０通信であるか否か確認する（ステップＳ７０３）。
【００９２】
ファクシミリ通信がＩＰ網経由のＴ．３０通信であると確認した場合（ステップＳ７０３でＹＥＳ）、ステップＳ７０６に進む。
【００９３】
ファクシミリ通信がＩＰ網経由のＴ．３０通信ではないと確認した場合（ステップＳ７０３でＮＯ）、ファクシミリ通信が終了するまで待機し（ステップＳ７０４）、ファクシミリ通信が終了すると（ステップＳ７０５でＹＥＳ）、ステップＳ７０６に進む。
【００９４】
ＩＰ網経由のＴ．３０通信を開始し（ステップＳ７０６）、ＩＰ網経由のＴ．３０通信の同時通信の処理手順を終了する。
【００９５】
更に、本発明を適用したマルチファンクション装置１は複数のＴ．３８通信を同時に行うことが可能である。なお、通信スピード、処理能力等に応じて同時動作可能な通信数を制限する構成も適用可能である。
【００９６】
次に、マルチファンクション装置が行う複数のＴ．３８通信の同時通信の処理手順について図８に示すフローチャートを参照して説明する。
【００９７】
Ｔ．３８通信のファクシミリ送信若しくはファクシミリ受信の指示を受け付けると（ステップＳ８０１）、現在ファクシミリ通信中であるか否か確認する（ステップＳ８０２）。
【００９８】
現在ファクシミリ通信中ではないことを確認した場合（ステップＳ８０２でＮＯ）、ステップＳ８０６に進む。
【００９９】
現在ファクシミリ通信中であることを確認した場合（ステップＳ８０２でＹＥＳ）、そのファクシミリ通信がＴ．３８通信であるか否か確認する（ステップＳ８０３）。
【０１００】
ファクシミリ通信がＴ．３８通信であると確認した場合（ステップＳ８０３でＹＥＳ）、ステップＳ８０６に進む。
【０１０１】
ファクシミリ通信がＴ．３８通信ではないと確認した場合（ステップＳ８０３でＮＯ）、ファクシミリ通信が終了するまで待機し（ステップＳ８０４）、ファクシミリ通信が終了すると（ステップＳ８０５でＹＥＳ）、ステップＳ８０６に進む。
【０１０２】
Ｔ．３８通信を開始し（ステップＳ８０６）、Ｔ．３８通信の同時通信の処理手順を終了する。
【０１０３】
図９は、モデムユニット部２２を増設したマルチファンクション装置１の構成例を示した図である。
【０１０４】
図９に示すように、モデムユニット部２２を増設することで、マルチファンクション装置１は２つのＰＳＴＮ経由のＴ．３０通信を同時に行うことが可能になる。なお、モデムユニット部２２のＣｏｄｅｃ／解像度変換部１８、ＲＡＭ１６をファクシミリモジュール部５と共有することで、パフォーマンスとのトレードで更に安価で提供することも可能である。
【０１０５】
図１０は、第２のファクシミリモジュール部２４を増設したマルチファンクション装置１の構成例を示した図である。
【０１０６】
図１０に示すように、ＰＳＴＮ接続の複数回線接続能力を有する第２のファクシミリモジュール部２４を接続し、第１のファクシミリモジュール部２３をＩＰ網に接続できるように設定し、第２のファクシミリモジュール部２４をＰＳＴＮにのみ接続できるように設定する。従って、ＰＳＴＮを経由して複数電話番号を使用するセンターファクシミリ装置として利用する場合は、第２のファクシミリモジュール部２４を利用する。
【０１０７】
更に、本発明を適用したマルチファンクション装置１は、ファクシミリモジュール部５のＣＰＵ１４が機能として有する使用回線判断手段により使用回線（ＩＰ網経由／ＰＳＴＮ経由）を判断し、使用回線判断手段の判断に基づいて自動でＩＰ網経由／ＰＳＴＮ経由のファクシミリ通信を行う。
【０１０８】
次に、マルチファンクション装置１が使用回線の判断に基づいて行うファクシミリ送信の処理手順について図１１に示すフローチャートを参照して説明する。
【０１０９】
原稿をスキャンし（ステップＳ１１０１）、スキャンデータをデータ蓄積用メモリに蓄積し（ステップＳ１１０２）、使用回線を判断する（ステップＳ１１０３）。
【０１１０】
ＩＰ網経由のファクシミリ通信を行うと判断した場合（ステップＳ１１０３でＹＥＳ）、スキャンデータからＴ．３８通信用のデータを作成し（ステップＳ１１０４）、相手先に接続し（ステップＳ１１０５）、相手先から応答があると（ステップＳ１１０６でＹＥＳ）、相手先から送信された相手能力宣言を受信し（ステップＳ１１０７）、受信した相手能力宣言に基づいて相手先のＴ．３８通信能力の有無を判断する（ステップＳ１１０８）。
【０１１１】
相手先にＴ．３８通信能力が有ると判断した場合（ステップＳ１１０８でＹＥＳ）、Ｔ．３８通信を開始し（ステップＳ１１０９）、ファクシミリ送信の処理手順を終了する。
【０１１２】
相手先にＴ．３８通信能力が無いと判断した場合（ステップＳ１１０８でＮＯ）、スキャンデータをＦＡＸ  Ｍｏｄｅｍに渡し（ステップＳ１１１０）、ＦＡＸ  Ｍｏｄｅｍの出力信号をディジタル化し（ステップＳ１１１１）、ＩＰ網経由のＴ．３０通信を開始し（ステップＳ１１１２）、ファクシミリ送信の処理手順を終了する。
【０１１３】
ＰＳＴＮ経由のファクシミリ通信を行うと判断した場合（ステップＳ１１０３でＮＯ）、スキャンデータをＦＡＸ  Ｍｏｄｅｍに渡し（ステップＳ１１１３）、ＰＳＴＮ経由のＴ．３０通信を開始し（ステップＳ１１１４）、ファクシミリ送信の処理手順を終了する。
【０１１４】
なお、ファクシミリ通信時における使用回線判断手段の使用回線の判断は、例えば、ダイヤルの「００００」の有無に基づく判断（この場合、「００００」有りがＰＳＴＮ経由、「００００」無しがＩＰ網経由と判断）、ダイヤルの「０５０」の有無に基づく判断（この場合、「０５０」無しがＰＳＴＮ経由、「０５０」有りがＩＰ網経由と判断）、短縮登録に基づく判断等がある。
【０１１５】
更に、本発明を適用したマルチファンクション装置１は、Ｔ．３０通信が設定された際に、ファクシミリモジュール部５のＣＰＵ１４が使用回線（ＩＰ網経由／ＰＳＴＮ経由）を判断し、その判断に基づいて自動でＩＰ網経由／ＰＳＴＮ経由のＴ．３０通信を行う。
【０１１６】
次に、マルチファンクション装置１が使用回線の判断に基づいて行うＴ．３０通信の処理手順について図１２に示すフローチャートを参照して説明する。
【０１１７】
Ｔ．３０通信が設定され（ステップＳ１２０１）、原稿をスキャンし（ステップＳ１２０２）、スキャンデータをデータ蓄積用メモリに蓄積し（ステップＳ１２０３）、使用回線を判断する（ステップＳ１２０４）。
【０１１８】
ＩＰ網経由のＴ．３０通信を行うと判断した場合（ステップＳ１２０４でＹＥＳ）、スキャンデータをＦＡＸ  Ｍｏｄｅｍに渡し（ステップＳ１２０５）、ＦＡＸ  Ｍｏｄｅｍの出力信号をディジタル化し（ステップＳ１２０６）、ＩＰ網経由のＴ．３０通信を開始し（ステップＳ１２０７）、Ｔ．３０通信の処理手順を終了する。
【０１１９】
ＰＳＴＮ経由のＴ．３０通信を行うと判断した場合（ステップＳ１２０４でＮＯ）、スキャンデータをＦＡＸ  Ｍｏｄｅｍに渡し（ステップＳ１２０８）、ＰＳＴＮ経由のＴ．３０通信を開始し（ステップＳ１２０９）、Ｔ．３０通信の処理手順を終了する。
【０１２０】
なお、ファクシミリ通信時における使用回線判断手段の使用回線の判断は、例えば、ダイヤルの「００００」の有無に基づく判断（この場合、「００００」有りがＰＳＴＮ経由、「００００」無しがＩＰ網経由と判断）、ダイヤルの「０５０」の有無に基づく判断（この場合、「０５０」無しがＰＳＴＮ経由、「０５０」有りがＩＰ網経由と判断）、短縮登録に基づく判断等がある。
【０１２１】
更に、本発明を適用したマルチファンクション装置１は、ファクシミリ通信が正常に終了しなかった場合、予め設定した切替設定条件に従って、ファクシミリ通信の種類を切り替えて再通信することが可能である。なお、切替設定条件とは、リトライ回数設定、選択回線限定設定、優先順位設定のいずれか、若しくはそれらの組み合わせである。
【０１２２】
次に、マルチファンクション装置１が行うファクシミリ通信の処理手順について図１３に示すフローチャートを参照して説明する。
【０１２３】
原稿をスキャンし（ステップＳ１３０１）、スキャンデータからＴ．３８通信用のデータを作成し（ステップＳ１３０２）、作成したデータをデータ蓄積用メモリに蓄積し（ステップＳ１３０３）、相手先に接続し（ステップＳ１３０４）、相手先から応答があると（ステップＳ１３０５でＹＥＳ）、相手先から送信された相手能力宣言を受信し（ステップＳ１３０６）、受信した相手能力宣言に基づいて相手先のＴ．３８通信能力の有無を判断する（ステップＳ１３０７）。
【０１２４】
相手先にＴ．３８通信能力が有ると判断した場合（ステップＳ１３０７でＹＥＳ）、Ｔ．３８通信を開始し（ステップＳ１３０８）、ステップＳ１３１５に進む。
【０１２５】
相手先にＴ．３８通信能力が無いと判断した場合（ステップＳ１３０７でＮＯ）、使用回線を判断する（ステップＳ１３０９）。
【０１２６】
ＩＰ網経由のＴ．３０通信を行うと判断した場合（ステップＳ１３０９でＹＥＳ）、スキャンデータをＦＡＸ  Ｍｏｄｅｍに渡し（ステップＳ１３１０）、ＦＡＸ  Ｍｏｄｅｍの出力信号をディジタル化し（ステップＳ１３１１）、ＩＰ網経由のＴ．３０通信を開始し（ステップＳ１３１２）、ステップＳ１３１５に進む。
【０１２７】
ＰＳＴＮ経由のＴ．３０通信を行うと判断した場合（ステップＳ１３０９でＮＯ）、スキャンデータをＦＡＸ  Ｍｏｄｅｍに渡し（ステップＳ１３１３）、ＰＳＴＮ経由のＴ．３０通信を開始し（ステップＳ１３１４）、ステップＳ１３１５に進む。
【０１２８】
ファクシミリ通信が正常に終了しない場合（ステップＳ１３１５でＮＯ）、Ｔ．３８通信を行うと判断した場合（ステップＳ１３１６でＹＥＳ）、ステップＳ１３０８に戻り、Ｔ．３８通信を行わないと判断した場合（ステップＳ１３１６でＮＯ）、ステップＳ１３１７に進む。
【０１２９】
ＩＰ網経由のＴ．３０通信を行うと判断した場合（ステップＳ１３１７でＹＥＳ）、ステップＳ１３１０に戻り、ＰＳＴＮ経由のＴ．３０通信を行うと判断した場合（ステップＳ１３１７でＮＯ）、ステップＳ１３１３に戻る。
【０１３０】
ファクシミリ通信が正常に終了した場合（ステップＳ１３１５でＹＥＳ）、ファクシミリ通信の処理手順を終了する。
【０１３１】
なお、図１４に示すように、それぞれのモジュールに同一の接続構造（例えば、接続ユニット受け側２５、接続ユニット差込側２６）を設けることで、アナログＦＡＸ機、ＩＰ−ＦＡＸ機を容易に複数回線増設可能とすることができる。
【図面の簡単な説明】
【０１３２】
【図１】本発明を適用した複合機装置１の構成例を示した図である。
【図２】マルチファンクション装置１が行うＩＰ網経由のファクシミリ送信の処理手順を示すフローチャートである。
【図３】起動開始時にマルチファンクション装置１が行う接続認識の処理手順を示すフローチャートである。
【図４】マルチファンクション装置１が行う複数のファクシミリ通信の処理手順を示すフローチャートである。
【図５】マルチファンクション装置１が行うＰＳＴＮ経由のＴ．３０通信の処理手順を示すフローチャートである。
【図６】マルチファンクション装置１が行うＴ．３８通信の処理手順を示すフローチャートである。
【図７】マルチファンクション装置１が行う複数のＩＰ網経由のＴ．３０通信の同時通信を示すフローチャートである。
【図８】マルチファンクション装置が行う複数のＴ．３８通信の同時通信の処理手順を示すフローチャートである。
【図９】モデムユニット部２２を増設したマルチファンクション装置１の構成例を示した図である。
【図１０】第２のファクシミリモジュール部２４を増設したマルチファンクション装置１の構成例を示した図である。
【図１１】マルチファンクション装置１が使用回線の判断に基づいて行うファクシミリ送信の処理手順を示すフローチャートである。
【図１２】マルチファンクション装置１が使用回線の判断に基づいて行うＴ．３０通信の処理手順を示すフローチャートである。
【図１３】マルチファンクション装置１が行うファクシミリ通信の処理手順を示すフローチャートである。
【図１４】同一の接続構成で各ユニットが接続されたマルチファンクション装置１の構成例を示した図である。
【符号の説明】
【０１３３】
１    マルチファンクション装置
２    マルチファンクションコントロール部
３    プリンタモジュール部
４    スキャナモジュール部
５    ファクシミリモジュール部
６    Ｉ／Ｆ
７    ＣＰＵ
８    ＲＯＭ
９    ＲＡＭ
１０    データ蓄積用メモリ
１１    ＬＡＮ  ＩＦ基板
１２    設定部
１３    システムバス
１４    ＣＰＵ
１５    ＲＯＭ
１６    ＲＡＭ
１７    網制御部
１８    ＦＡＸ  Ｍｏｄｅｍ
１９    Ｃｏｄｅｃ／解像度変換部
２０    ＰＣＭ  Ｃｏｄｅｃ
２１    システムバス
２２    モデムユニット部
２３    第１のファクシミリモジュール部
２４    第２のファクシミリモジュール部
２５    接続ユニット受け側
２６    接続ユニット差込側
【図１】
2006094024.tif 000003
【図２】
2006094024.tif 000004
【図３】
2006094024.tif 000005
【図４】
2006094024.tif 000006
【図５】
2006094024.tif 000007
【図６】
2006094024.tif 000008
【図７】
2006094024.tif 000009
【図８】
2006094024.tif 000010
【図９】
2006094024.tif 000011
【図１０】
2006094024.tif 000012
【図１１】
2006094024.tif 000013
【図１２】
2006094024.tif 000014
【図１３】
2006094024.tif 000015
【図１４】
2006094024.tif 000016